(57)【要約】【課題】無線端末がオフロード通信を継続したままハンドオーバをすることが可能なオフロードハンドオーバ方法を得ること。【解決手段】ハンドオーバ元無線基地局が、ハンドオーバ先無線基地局に対して、自局における無線端末用アドレスである第１のアドレスの情報を通知し、ハンドオーバ先無線基地局が、ハンドオーバ元無線基地局に対して、自局における無線端末用アドレスである第２のアドレスの情報を通知し、ハンドオーバ元無線基地局が、インターネット上の装置から受信した無線端末あてのパケットの送信先アドレスを第１のアドレスから第２のアドレスに変換し、当該パケットを公衆アクセスネットワーク経由でハンドオーバ先無線基地局に転送し、ハンドオーバ先無線基地局が、受信したパケットの送信先アドレスを第２のアドレスから第１のアドレスに変換し、当該パケットを無線端末に送信する。【選択図】図１
2012253680.tif 000002
【特許請求の範囲】
【請求項１】
無線端末が、無線基地局を介して、移動体コアネットワークを経由せずに公衆アクセスネットワークを経由してインターネット上の装置とオフロード通信を行う移動体通信システムにおけるオフロードハンドオーバ方法であって、
ハンドオーバ元無線基地局が、ハンドオーバ先無線基地局に対して、自局における無線端末用アドレスである第１のアドレスの情報を通知する第１のアドレス通知ステップと、
ハンドオーバ先無線基地局が、前記ハンドオーバ元無線基地局に対して、自局における無線端末用アドレスである第２のアドレスの情報を通知する第２のアドレス通知ステップと、
ハンドオーバ元無線基地局が、前記インターネット上の装置から受信した前記無線端末あてのパケットの送信先アドレスを前記第１のアドレスから前記第２のアドレスに変換し、当該パケットを前記公衆アクセスネットワーク経由で前記ハンドオーバ先無線基地局に転送するハンドオーバ元無線基地局転送ステップと、
ハンドオーバ先無線基地局が、受信した前記パケットの送信先アドレスを前記第２のアドレスから前記第１のアドレスに変換し、当該パケットを前記無線端末に送信するハンドオーバ先無線基地局送信ステップと、
を含むことにより、オフロード通信を継続したままハンドオーバを実施することを特徴とするオフロードハンドオーバ方法。
【請求項２】
無線端末が、無線基地局を介して、移動体コアネットワークを経由せずに公衆アクセスネットワークを経由してインターネット上の装置とオフロード通信を行う移動体通信システムにおけるオフロードハンドオーバ方法であって、
ハンドオーバ元無線基地局が、ハンドオーバ先無線基地局に対して、自局における無線端末用アドレスである第１のアドレスの情報を通知するアドレス通知ステップと、
ハンドオーバ先無線基地局が、受信した前記第１のアドレスと自局における無線端末用アドレスである第２のアドレスとを比較するアドレス比較ステップと、
ハンドオーバ先無線基地局が、前記比較した結果、前記ハンドオーバ元無線基地局と自局が同一サブネットに属することを検出した場合に、前記公衆アクセスネットワークに対して、送信先アドレスが第１のアドレスである前記無線端末あてのパケットの送信先を前記ハンドオーバ元無線基地局から自局に変更させる送信先変更ステップと、
ハンドオーバ先無線基地局が、前記インターネット上の装置から受信した送信先アドレスが第１のアドレスである前記無線端末あてのパケットを、前記無線端末に送信するハンドオーバ先無線基地局送信ステップと、
を含むことにより、オフロード通信を継続したままハンドオーバを実施することを特徴とするオフロードハンドオーバ方法。
【請求項３】
無線端末が、無線基地局を介して、移動体コアネットワークを経由せずに、公衆アクセスネットワークとインターネットを接続するゲートウェイ装置と前記無線基地局の間に設定されたトンネルを使用して前記公衆アクセスネットワーク内のパケット転送を行い、前記ゲートウェイ装置を介してインターネット上の装置とオフロード通信を行う移動体通信システムにおけるオフロードハンドオーバ方法であって、
前記ゲートウェイ装置との間で第１のトンネルを設定してパケット転送しているハンドオーバ元無線基地局が、ハンドオーバ先無線基地局に対して、自局における無線端末用アドレスの情報を通知するアドレス通知ステップと、
ハンドオーバ先無線基地局が、前記ゲートウェイ装置との間に設定した第２のトンネルについて、前記ゲートウェイ装置に対して、前記インターネット上の装置から受信した前記無線端末用アドレスを送信先とするパケットの場合の転送先を、前記第１のトンネルから前記第２のトンネルに変更させるトンネル変更ステップと、
ハンドオーバ先無線基地局が、前記無線端末から受信した前記インターネット上の装置あてのパケットの送信先を、前記第２のトンネルを用いて転送するパケット転送ステップと、
を含むことにより、オフロード通信を継続したままハンドオーバを実施することを特徴とするオフロードハンドオーバ方法。
【請求項４】
無線端末が、無線基地局を介して、移動体コアネットワークを経由せずに公衆アクセスネットワークを経由してインターネット上の装置とオフロード通信を行う移動体通信システムにおける前記無縁基地局であって、
ハンドオーバ元無線基地局の場合は、
ハンドオーバ先無線基地局に対して、自局における無線端末アドレスである第１のアドレスの情報を通知し、また、前記インターネット上の装置から受信した前記無線端末あてのパケットの送信先アドレスを、ハンドオーバ先無線基地局から通知された当該ハンドオーバ先無線基地局における無線端末アドレスである第２のアドレスに変換し、当該パケットを前記公衆アクセスネットワーク経由で前記ハンドオーバ先無線基地局に転送し、
ハンドオーバ先無線基地局の場合は、
前記ハンドオーバ元無線基地局に対して、前記第２のアドレスの情報を通知し、また、前記公衆アクセスネットワーク経由で前記ハンドオーバ元無線基地局から受信したパケットの送信先アドレスを、前記第２のアドレスから前記第１のアドレスに変換し、前記無線端末に送信する、
ことにより、オフロード通信を継続したままハンドオーバを実施することを特徴とする無線基地局。
【請求項５】
無線端末が、無線基地局を介して、移動体コアネットワークを経由せずに公衆アクセスネットワークを経由してインターネット上の装置とオフロード通信を行う移動体通信システムにおける前記無線基地局であって、
ハンドオーバ元無線基地局の場合は、
ハンドオーバ先無線基地局に対して、自局における無線端末用アドレスである第１のアドレスの情報を通知し、
ハンドオーバ先無線基地局の場合は、
受信した前記第１のアドレスと自局における無線端末用アドレスである第２のアドレスとを比較し、比較した結果、前記ハンドオーバ元無線基地局と自局が同一サブネットに属することを検出したときは、前記公衆アクセスネットワークに対して、送信先アドレスが第１のアドレスである前記無線端末あてのパケットの送信先を前記ハンドオーバ元無線基地局から自局に変更させ、前記インターネット上の装置から受信した送信先アドレスが第１のアドレスである前記無線端末あてのパケットを、前記無線端末に送信する、
ことにより、オフロード通信を継続したままハンドオーバを実施することを特徴とする無線基地局。
【請求項６】
無線端末が、無線基地局を介して、移動体コアネットワークを経由せずに、公衆アクセスネットワークとインターネットを接続するゲートウェイ装置と前記無線基地局の間に設定されたトンネルを使用して前記公衆アクセスネットワーク内のパケット転送を行い、前記ゲートウェイ装置を介してインターネット上の装置とオフロード通信を行う移動体通信システムにおける前記無線基地局であって、
ハンドオーバ元無線基地局の場合は、
ハンドオーバ前は前記ゲートウェイ装置との間で第１のトンネルを設定してパケット転送し、ハンドオーバ先無線基地局に対して、自局における無線端末用アドレスの情報を通知し、
ハンドオーバ先無線基地局の場合は、
前記ゲートウェイ装置との間に設定した第２のトンネルについて、前記ゲートウェイ装置に対して、前記インターネット上の装置から受信した前記無線端末用アドレスを送信先とするパケットの場合の転送先を、前記第１のトンネルから前記第２のトンネルに変更させ、前記無線端末から受信した前記インターネット上の装置あてのパケットの送信先を、前記第２のトンネルを用いて転送する、
ことにより、オフロード通信を継続したままハンドオーバを実施することを特徴とする無線基地局。
【請求項７】
無線端末が、無線基地局を介して、移動体コアネットワークを経由せずに、公衆アクセスネットワークとインターネットを接続するゲートウェイ装置と前記無線基地局の間に設定されたトンネルを使用して前記公衆アクセスネットワーク内のパケット転送を行い、前記ゲートウェイ装置を介してインターネット上の装置とオフロード通信を行う移動体通信システムにおける前記ゲートウェイ装置であって、
ハンドオーバ実施時にハンドオーバ先無線基地局との間で新たにトンネルを設定し、前記ハンドオーバ先無線基地局からの要求に従って、ハンドオーバ元無線基地局における無線端末用アドレスを送信先とするパケットの転送先を、前記ハンドオーバ先無線基地局との間に設定したトンネルに変更する、
ことを特徴とするゲートウェイ装置。
【発明の詳細な説明】
【技術分野】
【０００１】
本発明は、オフロード通信を行う移動体無線通信システムにおけるオフロードハンドオーバ方法に関する。
【背景技術】
【０００２】
近年の移動体通信システムでは、下記非特許文献１に示されるように、無線端末が移動体コアネットワークを経由せずに、小型無線基地局を経由して直接インターネット内のサーバと通信を実施するオフロード通信が検討されている。また、下記特許文献１では、移動体コアネットワークを経由する接続状態において、無線端末と前記インターネット内のサーバ間のトラヒック量をモニタし、所定の条件を満たした場合にコアネットワークを経由しない接続状態に切り替える技術が開示されている。
【先行技術文献】
【特許文献】
【０００３】
【特許文献１】特開２０１０−２２６２２９号公報
【非特許文献】
【０００４】
【非特許文献１】３ＧＰＰ  ＴＳ２２．２２０  Ｖ９．４．０  （２０１０−０３）
【発明の概要】
【発明が解決しようとする課題】
【０００５】
しかしながら、上記従来の技術によれば、オフロード状態の無線端末は、無線基地局が取得したインターネット接続用のＩＰアドレスを使用してインターネット上のサーバと通信を行う。そのため、無線端末が移動して別の無線基地局に接続するハンドオーバを行った場合、ＩＰアドレスを変更することになりインターネット上のサーバとの通信を継続できない、という問題があった。
【０００６】
本発明は、上記に鑑みてなされたものであって、オフロード通信をしている無線端末がオフロード通信を継続したままハンドオーバをすることが可能なオフロードハンドオーバ方法を得ることを目的とする。
【課題を解決するための手段】
【０００７】
上述した課題を解決し、目的を達成するために、本発明は、無線端末が、無線基地局を介して、移動体コアネットワークを経由せずに公衆アクセスネットワークを経由してインターネット上の装置とオフロード通信を行う移動体通信システムにおけるオフロードハンドオーバ方法であって、ハンドオーバ元無線基地局が、ハンドオーバ先無線基地局に対して、自局における無線端末用アドレスである第１のアドレスの情報を通知する第１のアドレス通知ステップと、ハンドオーバ先無線基地局が、前記ハンドオーバ元無線基地局に対して、自局における無線端末用アドレスである第２のアドレスの情報を通知する第２のアドレス通知ステップと、ハンドオーバ元無線基地局が、前記インターネット上の装置から受信した前記無線端末あてのパケットの送信先アドレスを前記第１のアドレスから前記第２のアドレスに変換し、当該パケットを前記公衆アクセスネットワーク経由で前記ハンドオーバ先無線基地局に転送するハンドオーバ元無線基地局転送ステップと、ハンドオーバ先無線基地局が、受信した前記パケットの送信先アドレスを前記第２のアドレスから前記第１のアドレスに変換し、当該パケットを前記無線端末に送信するハンドオーバ先無線基地局送信ステップと、を含むことにより、オフロード通信を継続したままハンドオーバを実施することを特徴とする。
【発明の効果】
【０００８】
本発明によれば、オフロード通信をしている無線端末がオフロード通信を継続したままハンドオーバをすることができる、という効果を奏する。
【図面の簡単な説明】
【０００９】
【図１】図１は、実施の形態１の移動体通信システムの構成例を示す図である。
【図２】図２は、実施の形態１のハンドオーバ動作を示すシーケンス図である。
【図３】図３は、アドレス変換テーブルを示す図である。
【図４】図４は、アドレス変換テーブルを示す図である。
【図５】図５は、実施の形態２の移動体通信システムの構成例を示す図である。
【図６】図６は、実施の形態２のハンドオーバ動作を示すシーケンス図である。
【図７】図７は、実施の形態３のハンドオーバ前の移動体通信システムの構成例を示す図である。
【図８】図８は、実施の形態３のハンドオーバ動作を示すシーケンス図である。
【図９】図９は、ＩＰアドレスとトンネルの対応を示すテーブルである。
【図１０】図１０は、更新後のＩＰアドレスとトンネルの対応を示すテーブルである。
【図１１】図１１は、実施の形態３のハンドオーバ後の移動体通信システムの構成例を示す図である。
【発明を実施するための形態】
【００１０】
以下に、本発明にかかるオフロードハンドオーバ方法の実施の形態を図面に基づいて詳細に説明する。なお、この実施の形態によりこの発明が限定されるものではない。
【００１１】
実施の形態１．
図１は、本実施の形態の移動体通信システムの構成例を示す図である。移動体通信システムは、無線端末（以下、ＵＥとする。）１と、無線基地局（以下、ＢＴＳとする。）２、３と、移動体通信コアネットワーク４と、移動体通信コアネットワーク４内にある移動管理装置（以下、ＭＭＥとする。）５と、公衆アクセスネットワーク６と、公衆アクセスネットワーク６内にあるルータ７と、ゲートウェイ装置（以下、ＧＷとする。）８と、インターネット９と、インターネット９上にあるサーバ１０と、から構成される。
【００１２】
ＵＥ１は、ＢＴＳ２、３と無線により接続可能な端末である。ＢＴＳ２、３は、ＵＥ１と接続し、移動体通信コアネットワーク４または公衆アクセスネットワーク６との通信を中継する。移動体通信コアネットワーク４は、移動体通信を提供するネットワークである。ＭＭＥ５は、ＵＥ１の移動や通信呼を管理する。ルータ７は、公衆アクセスネットワーク６内でパケットのルーティングを行い、ＢＴＳ２、３と接続する。ＧＷ８は、公衆アクセスネットワーク６とインターネット９を接続する。サーバ１０は、インターネット９上にあり、各種サービスを提供する。ここでは、サーバ１０のＩＰアドレスを「ＩＰＳ」とする。
【００１３】
図１において、ＵＥ１は、ＢＴＳ２と接続しており、ＢＴＳ２に割り当てられた無線端末用（ＵＥ）アドレス「ＩＰＵ１」を使用し、移動体通信コアネットワーク４を経由せずに、ＢＴＳ２および公衆アクセスネットワーク６を経由してインターネット９上のサーバ１０とオフロード通信を行っている。ＵＥアドレスを取得する方法としては、例えば、ＤＨＣＰ（Dynamic  Host  Configuration  Protocol）を利用する方法や、事前に決定しておくなど種々の方法があり、いずれかの方法に限定するものではない。なお、ＵＥアドレス「ＩＰＵ１」を第１のアドレスとする。
【００１４】
つづいて、ＵＥ１がオフロード通信を行っている状態からハンドオーバを行う動作について説明する。図２は、本実施の形態の移動体通信システムにおけるハンドオーバ動作を示すシーケンス図である。
【００１５】
ここで、ハンドオーバ実施前の状態では、サーバ１０がＵＥ１に対して送信するパケットの送信元アドレスは「ＩＰＳ」、送信先アドレスは「ＩＰＵ１」である。当該パケットは、送信先アドレス「ＩＰＵ１」によって、インターネット９内、ＧＷ８、ルータ７、ＢＴＳ２とルーティングされてＵＥ１に到着する。また、ＵＥ１がサーバ１０に対して送信するパケットの送信元アドレスは「ＩＰＵ１」、送信先アドレスは「ＩＰＳ」である。当該パケットは、送信先アドレス「ＩＰＳ」によって、ＢＴＳ２、ルータ７、ＧＷ８とルーティングされ、さらにインターネット９内をルーティングされてサーバ１０に到着する。ＵＥ１とサーバ１０は、パケットのアドレスによって通信相手を特定して通信を行っている。
【００１６】
この状態から、ＢＴＳ２をハンドオーバ元（ソース無線基地局）、ＢＴＳ３をハンドオーバ先（ターゲット無線基地局）とするハンドオーバを実施する場合について説明する。まず、ＢＴＳ２が、ＭＭＥ５に対してハンドオーバ要求を送信する（ステップＳ１００１）。ハンドオーバ要求を受信したＭＭＥ５は、ハンドオーバ要求をターゲットであるＢＴＳ３に送信する（ステップＳ１００２）。ＢＴＳ３は、受信したハンドオーバ要求に基づいて、ＵＥ１のためのＵＥアドレスを取得する処理（割り当て処理）を実施し、ＵＥアドレス「ＩＰＵ２」を取得する（ステップＳ１００３）。ＵＥアドレス「ＩＰＵ２」を第２のアドレスとする。また、ＢＴＳ３は、ハンドオーバ実施を承認するハンドオーバ要求確認をＭＭＥ５に対して送信する（ステップＳ１００４）。
【００１７】
ＭＭＥ５は、ハンドオーバの実施を通知するため、ＢＴＳ２に対してハンドオーバ命令を送信する（ステップＳ１００５）。ハンドオーバ命令を受信したＢＴＳ２は、ＵＥ１に対してハンドオーバ命令を送信する（ステップＳ１００６）。
【００１８】
ＢＴＳ２は、ＵＥ１が使用していたＵＥアドレス「ＩＰＵ１」をＢＴＳ３に通知するため、ＵＥアドレス通知をＭＭＥ５に送信する（ステップＳ１００７）。ＵＥアドレス通知を受信したＭＭＥ５は、ＢＴＳ３にＵＥアドレス通知を送信する（ステップＳ１００８）。また、ＢＴＳ３は、ＵＥ１のために取得したＵＥアドレス「ＩＰＵ２」をＢＴＳ２に通知するため、ＵＥアドレス通知をＭＭＥ５に送信する（ステップＳ１００９）。ＵＥアドレス通知を受信したＭＭＥ５は、ＢＴＳ２にＵＥアドレス通知を送信する（ステップＳ１０１０）。
【００１９】
一方、ステップＳ１００６でハンドオーバ命令を受信したＵＥ１は、接続先をＢＴＳ３に変更して、ハンドオーバ実施通知をＢＴＳ３に送信する（ステップＳ１０１１）。これにより、ＢＴＳ３は、ＵＥ１がハンドオーバを実施して自局に接続したことを認識する。
【００２０】
図３は、ハンドオーバによりＢＴＳ２に生成されるアドレス変換テーブルを示す図である。ＢＴＳ２では、「ＩＰＵ１」を「ＩＰＵ２」に変換する。また、図４は、ハンドオーバによりＢＴＳ３に生成されるアドレス変換テーブルを示す図である。ＢＴＳ３では、「ＩＰＵ２」を「ＩＰＵ１」に変換する。
【００２１】
図２に示すハンドオーバを実施後、サーバ１０が、送信元アドレス「ＩＰＳ」、送信先アドレス「ＩＰＵ１」としてＵＥ１へパケットを送信すると、インターネット９内、ＧＷ８、ルータ７をルーティングされてハンドオーバ前のＢＴＳ２にパケットが送信される（ステップＳ１０１２）。ＢＴＳ２は、送信先アドレス「ＩＰＵ１」を「ＩＰＵ２」に変換して、ルータ７へパケットを送信する（ステップＳ１０１３）。ルータ７は、送信先アドレス「ＩＰＵ２」に基づいてルーティングを行い、ＢＴＳ３へパケットを送信する（ステップＳ１０１４）。これを受信したＢＴＳ３は、送信先アドレスを「ＩＰＵ２」から「ＩＰＵ１」に変換して、ＵＥ１へパケットを送信する（ステップＳ１０１５）。
【００２２】
一方、ＵＥ１が、送信元アドレス「ＩＰＵ１」、送信先アドレス「ＩＰＳ」としてサーバ１０へパケットを送信すると、ＢＴＳ３、ルータ７、ＧＷ８とルーティングされ、さらにインターネット９内をルーティングされてサーバ１０にパケットが送信される（ステップＳ１０１６）。
【００２３】
以上説明したように、本実施の形態では、オフロード通信中の無線端末がハンドオーバを実施する場合において、ハンドオーバ先の無線基地局は、ハンドオーバ元の無線基地局へ自局で使用する無線端末用アドレスを通知し、ハンドオーバ元の無線基地局は、ハンドオーバ先の無線基地局へ自局で使用していた無線端末用アドレスを通知する。そして、ハンドオーバ元の無線基地局は、ハンドオーバ元の無線端末用アドレスを送信先アドレスにもつパケットについて、送信先アドレスをハンドオーバ先の無線基地局での無線端末用アドレスに変換して公衆アクセスネットワークに送信し、一方、ハンドオーバ先の無線基地局は、ハンドオーバ先の無線基地局での無線端末用アドレスを送信先アドレスにもつパケットについて、送信先アドレスをハンドオーバ前に使用していた無線端末用アドレスに変換して無線端末に送信することとした。これにより、無線端末とインターネット上のサーバでは、ハンドオーバ前とハンドオーバ後で同じ無線端末用アドレスを用いることができ、無線端末は、オフロード通信を継続したまま無線基地局を移動するハンドオーバを実施することができる。
【００２４】
実施の形態２．
実施の形態１では、ハンドオーバ元の無線基地局とハンドオーバ先の無線基地局で無線端末用アドレスを変換していた。本実施の形態では、ハンドオーバ元の無線基地局における無線端末用アドレスと、ハンドオーバ先の無線基地局における無線端末用アドレスが同一サブネットワークに属する場合に、無線端末がオフロード通信を継続したまま無線基地局を移動するハンドオーバをする方法について説明する。実施の形態１と異なる部分について説明する。
【００２５】
図５は、本実施の形態の移動体通信システムの構成例を示す図である。各構成は実施の形態１（図１参照）と同一であるが、ここでは、ＢＴＳ２、３が同一サブネットワークに属している。
【００２６】
つづいて、ＵＥ１がオフロード通信を行っている状態からハンドオーバを行う動作について説明する。図６は、移動体通信システムにおけるハンドオーバ動作を示すシーケンス図である。
【００２７】
ハンドオーバ実施前の状態は、実施の形態１と同一である。また、ＢＴＳ２がＭＭＥ５に対してハンドオーバ要求を送信（ステップＳ１００１）してから、ＭＭＥ５がＢＴＳ３にＵＥアドレス通知を送信（ステップＳ１００８）するまでの動作は実施の形態１と同様である。
【００２８】
つぎに、ＢＴＳ３は、ＭＭＥ５から受信したＵＥアドレス通知で示されるハンドオーバ前のＢＴＳ２におけるＵＥ１のＵＥアドレス「ＩＰＵ１」と、自局がルータ７から取得したＵＥアドレス「ＩＰＵ２」とを比較する。そして、比較した結果、「ＩＰＵ１」と「ＩＰＵ２」が同一サブネットに属することを検出する（ステップＳ２００１）。
【００２９】
ＢＴＳ２が取得していたＵＥアドレスと、ＢＴＳ３が取得したＵＥアドレスが同一サブネットに属しているので、サーバ１０がパケットを送信すると、そのパケットは、宛先アドレスが「ＩＰＵ１」であっても「ＩＰＵ２」であっても同様にインターネット９から公衆アクセスネットワーク６をルーティングされて、ＢＴＳ２、３を収容するルータ７に到着する。
【００３０】
ＢＴＳ３は、ルータ７に対して「ＩＰＵ１」の送信先をＢＴＳ３に変更する処理を実施する（ステップＳ２００２）。送信先を変更する方法としては、例えば、公衆アクセスネットワーク６とＢＴＳ２、３の接続がイーサネット（登録商標）である場合には、ＧＡＲＰ（Gratuitous  ＡＲＰ）の送信によりＵＥアドレス「ＩＰＵ２」に対応するＭＡＣアドレスをルータ７に学習させる方法などがあるが、これに限定するものではない。
【００３１】
その後は実施の形態１と同様、ステップＳ１００６でハンドオーバ命令を受信したＵＥ１は、接続先をＢＴＳ３に変更して、ハンドオーバ実施通知をＢＴＳ３に送信する（ステップＳ１０１１）。これにより、ＢＴＳ３は、ＵＥ１がハンドオーバを実施して自局に接続したことを認識する。
【００３２】
図６に示すハンドオーバを実施後、サーバ１０が、送信元アドレス「ＩＰＳ」、送信先アドレス「ＩＰＵ１」としてＵＥ１へパケットを送信すると、当該パケットは、インターネット９から公衆アクセスネットワーク６をルーティングされルータ７に到着する。ルータ７は、「ＩＰＵ１」の送信先がＢＴＳ３となっているので、このパケットをＢＴＳ３に送信し、ＢＴＳ３は、これをＵＥ１に送信する（ステップＳ２００３）。
【００３３】
一方、ＵＥ１が、送信元アドレス「ＩＰＵ１」、送信先アドレス「ＩＰＳ」としてサーバ１０へパケットを送信すると、ＢＴＳ３、ルータ７、ＧＷ８とルーティングされ、さらにインターネット９内をルーティングされてサーバ１０にパケットが送信される（ステップＳ２００４）。
【００３４】
以上説明したように、本実施の形態では、オフロード通信中の無線端末がハンドオーバを実施する場合において、ハンドオーバ元の無線基地局は、ハンドオーバ先の無線基地局へ自局で使用していた無線端末用アドレスを通知する。そして、ハンドオーバ先の無線基地局は、自局が取得した無線端末用アドレスとハンドオーバ元の無線基地局が使用していた無線端末用アドレスとを比較し、比較した結果、両アドレスが同一サブネットに属する場合は、ルータに対して、ハンドオーバ元の無線端末用アドレスあてのパケットの送信先をハンドオーバ先の無線基地局へ変更させることとした。これにより、無線端末とインターネット上のサーバでは、ハンドオーバ前とハンドオーバ後で同じ無線端末用アドレスを用いることができ、オフロード通信を継続したまま無線基地局を移動するハンドオーバを実施することができる。また、ハンドオーバ後、サーバから無線端末へパケットを送信するときの動作を、実施の形態１と比較して簡略化することができる。
【００３５】
実施の形態３．
実施の形態１、２では、公衆アクセスネットワーク６内を、ＵＥ１に割り当てられた無線端末用アドレスでルーティングしていた。本実施の形態では、無線基地局２、３とゲートウェイ装置８間にトンネルを構成し、公衆アクセスネットワーク６内をトンネルでパケット転送する場合に、無線端末がオフロード通信を継続したまま無線基地局を移動するハンドオーバをする方法について説明する。実施の形態１、２と異なる部分について説明する。
【００３６】
図７は、本実施の形態のハンドオーバ前の移動体通信システムの構成例を示す図である。ここでは、公衆アクセスネットワーク６にルータ７はなく、ＢＴＳ２およびＧＷ８は、公衆アクセスネットワーク６間をパケット伝送するためのトンネル１０１を構成する機能を備える。トンネルを構成する技術としては、例えば、ＰＰＰ（Point  to  Point  Protocol）やＩＰｓｅｃ（Security  Architecture  for  Internet  Protocol）トンネルなど種々の技術がある。図７においてトンネル１０１は、ＢＴＳ２とＧＷ８間に設定されたトンネルを示している。サーバ１０とＵＥ１間の通信データは、インターネット９内をサーバ１０もしくはＵＥ１に割り当てられたアドレスでルーティングされ、公衆アクセスネットワーク６内はトンネル１０１上を転送されている。
【００３７】
つづいて、ＵＥ１がオフロード通信を行っている状態からハンドオーバを行う動作について説明する。図８は、本実施の形態の移動体通信システムにおけるハンドオーバ動作を示すシーケンス図である。
【００３８】
ハンドオーバ実施前の状態では、サーバ１０がＵＥ１に対して送信するパケットの送信元アドレスは「ＩＰＳ」、送信先アドレスは「ＩＰＵ１」である。当該パケットは、送信先アドレス「ＩＰＵ１」によって、インターネット９内をルーティングされてＧＷ８に到着する。図９は、ＧＷ８が保持するＩＰアドレスとトンネルの対応を示すテーブルである。ＧＷ８は、このテーブルに基づいて送信先アドレス「ＩＰＵ１」となっているパケットをトンネル１０１に送信し、公衆アクセスネットワーク６内をトンネル１０１によりＢＴＳ２まで転送する。ＢＴＳ２は、宛先アドレス「ＩＰＵ１」のパケットをＵＥ１に送信する。また、ＵＥ１がサーバ１０に対して送信するパケットの送信元アドレスは「ＩＰＵ１」、送信先アドレスは「ＩＰＳ」である。ＢＴＳ２も図９に示すテーブルと同様のテーブルを保持しており、ＢＴＳ２は、送信元アドレスが「ＩＰＵ１」であるパケットを、トンネル１０１を使用して送信する。当該パケットは、公衆アクセスネットワーク６内をトンネル１０１により伝送され、ＧＷ８に到着し、インターネット９内を送信先アドレス「ＩＰＳ」によってルーティングされてサーバ１０に到着する。
【００３９】
この状態から、ＢＴＳ２をソース無線基地局、ＢＴＳ３をターゲット無線基地局とするハンドオーバを実施する場合について説明する。まず、ＢＴＳ２が、ＭＭＥ５に対してハンドオーバ要求を送信する（ステップＳ３００１）。ハンドオーバ要求を受信したＭＭＥ５は、ハンドオーバ要求をターゲット無線基地局であるＢＴＳ３に送信する（ステップＳ３００２）。ＢＴＳ３は、ＧＷ８との間にＵＥ１のためのトンネルを生成する処理を実施する（ステップＳ３００３）。
【００４０】
トンネルを生成後、ＢＴＳ３は、ハンドオーバを承認するハンドオーバ要求確認をＭＭＥ５に送信する（ステップＳ３００４）。ＭＭＥ５は、ハンドオーバの実施を通知するため、ＢＴＳ２に対してハンドオーバ命令を送信する（ステップＳ３００５）。ハンドオーバ命令を受信したＢＴＳ２は、ＵＥ１に対してハンドオーバ命令を送信する（ステップＳ３００６）。ＢＴＳ２は、ＵＥ１が使用していたＵＥアドレス「ＩＰＵ１」をＢＴＳ３に通知するため、ＵＥアドレス通知をＭＭＥ５に送信する（ステップＳ３００７）。ＵＥアドレス通知を受信したＭＭＥ５は、ＢＴＳ３にＵＥアドレス通知を送信する（ステップＳ３００８）。ＵＥアドレス通知を受信したＢＴＳ３は、ＧＷ８での送信先アドレス「ＩＰＵ１」の送信先をトンネル１０１からトンネル１０２に変更するため、転送先変更要求をＧＷ８に送信する（ステップＳ３００９）。ＧＷ８は、転送先変更要求を受信するとＵＥアドレスとトンネルの対応関係を保持するテーブルを更新する（ステップＳ３０１０）。図１０は、ＧＷ８が保持する更新後のＩＰアドレスとトンネルの対応を示すテーブルである。アドレス「ＩＰＵ１」に対してトンネル１０２が対応付けられている。
【００４１】
一方、ステップＳ３００６でハンドオーバ命令を受信したＵＥ１は、接続先をＢＴＳ３に変更して、ハンドオーバ実施通知をＢＴＳ３に送信する（ステップＳ３０１１）これにより、ＢＴＳ３は、ＵＥ１がハンドオーバを実施して自局に接続したことを認識する。
【００４２】
図１１は、ハンドオーバ後の移動体通信システムの構成例を示す図である。ＢＴＳ３とＧＷ８間に設定されたトンネル１０２上をＵＥ１とサーバ１０間の通信データが転送される。
【００４３】
図１０に示すハンドオーバを実施後、サーバ１０が、送信元アドレス「ＩＰＳ」、送信先アドレス「ＩＰＵ１」としてＵＥ１へパケットを送信すると、当該パケットは、インターネット９からＧＷ８に到着する。ＧＷ８は、トンネル１０２によりパケットをＢＴＳ３に送信し、ＢＴＳ３は、これをＵＥ１に送信する（ステップＳ３０１２）。
【００４４】
一方、ＵＥ１が、送信元アドレス「ＩＰＵ１」、送信先アドレス「ＩＰＳ」としてサーバ１０へパケットを送信すると、ＢＴＳ３がトンネル１０２によりＧＷ８へ転送され、さらにインターネット９内をルーティングされてサーバ１０にパケットが送信される（ステップＳ３０１３）。
【００４５】
以上説明したように、本実施の形態では、オフロード通信中の無線端末がハンドオーバを実施する場合において、ハンドオーバ元の無線基地局は、ハンドオーバ先の無線基地局へ無線端末用アドレスを通知し、ハンドオーバ先の無線基地局は、公衆アクセスネットワークとインターネットの境界に位置するゲートウェイ装置に対して、無線端末用アドレスと対応するトンネルを通知して、当該無線端末用アドレスに対してゲートウェイ装置が使用するトンネルを変更させることとした。これにより、トンネルを構成して通信をしていた場合においても、無線端末とインターネット上のサーバでは、ハンドオーバ前とハンドオーバ後で同じ無線端末用アドレスを用いることができ、無線端末は、オフロード通信を継続したまま無線基地局を移動するハンドオーバを実施することができる。
【符号の説明】
【００４６】
１  無線端末（ＵＥ）
２、３  無線基地局（ＢＴＳ）
４  移動体通信コアネットワーク
５  移動管理装置（ＭＭＥ）
６  公衆アクセスネットワーク
７  ルータ
８  ゲートウェイ装置（ＧＷ）
９  インターネット
１０  サーバ
１０１、１０２  トンネル
【図１】
2012253680.tif 000003
【図２】
2012253680.tif 000004
【図３】
2012253680.tif 000005
【図４】
2012253680.tif 000006
【図５】
2012253680.tif 000007
【図６】
2012253680.tif 000008
【図７】
2012253680.tif 000009
【図８】
2012253680.tif 000010
【図９】
2012253680.tif 000011
【図１０】
2012253680.tif 000012
【図１１】
2012253680.tif 000013